(57)【要約】
【課題】　インテリア性を有すると共に設置場所を選ばす、光触媒を利用して効果的に空気の脱臭を行なうことのできる脱臭装置を提供する。
【解決手段】　空気汚染物質を浄化し、脱臭した空気を供給する脱臭装置１００であって、壁掛け手段を有するケーシングと、前記ケーシング内に設けられ、取り入れた空気を光触媒により浄化して導出する脱臭手段と、前記ケーシングの前面に形成されたディスプレイ面Ｄとを備え、前記ケーシングが前記壁掛け手段により壁に掛けられた状態で、前記脱臭手段が空気脱臭を行なう。
【選択図】　　　図１
0003100297.tif 000002
【実用新案登録請求の範囲】
【請求項１】
　空気汚染物質を浄化し、脱臭した空気を導出する脱臭装置であって、
　壁掛け手段を有するケーシングと、前記ケーシング内に設けられ、取り入れた空気を光触媒により浄化して導出する脱臭手段と、前記ケーシングの前面に形成されたディスプレイ手段とを備え、
　前記ケーシングが前記壁掛け手段により壁に掛けられた状態で、前記脱臭手段が空気脱臭を行なうことを特徴とする脱臭装置。
【請求項２】
　前記ケーシングには、空気導入口と空気導出口とが形成され、
　前記脱臭手段は、前記空気導入口から空気を取り入れると共に浄化した空気を前記空気導出口から導出する空気導入出手段と、光を照射する放電ランプと、前記放電ランプの光が照射される略平面状に形成された光触媒フィルタとを備え、
　前記光触媒フィルタが、前記ケーシングの奥行き方向に対して傾斜した状態で前記ケーシング内に設置されることを特徴とする請求項１に記載された脱臭装置。
【請求項３】
　前記ディスプレイ手段は、前記放電ランプから照射される光を透過する透光性板を備え、
　前記透光性板上に所定のシート状装飾体が着脱自在に設置されることを特徴とする請求項２に記載された脱臭装置。
【考案の詳細な説明】
【技術分野】
【０００１】
　本考案は、インテリア性を有するディスプレイ面が形成されると共に壁掛け可能に構成された、光触媒作用による脱臭機能を備える脱臭装置に関する。
【背景技術】
【０００２】
　近年、室内における空気の浄化、脱臭方法として、光触媒のフィルタを通して空気を浄化し、脱臭する方法が注目され、実用化されている。
　この光触媒の作用について簡単に説明すると、先ず、光触媒は光照射を受けると、その光エネルギーを受けて励起し、電子と正孔が発生する。そして、光触媒の表面にある酸素、水分と反応して活性酸素やＯＨラジカルが発生し、これらが有機物質と結合して、分解し、炭酸ガスや水にする。
　このため、空気中の臭気物質である硫化水素等の硫黄化合物、アンモニア等の窒素化合物等を効率的に分解することができ、効果的に脱臭することができる。
【０００３】
　このような光触媒を利用した脱臭装置については、例えば特許文献１（特開平１−１３９１３９号公報）に示されている。
　この特許文献１に示される脱臭装置は、殺菌灯と光触媒フィルタとの間にブロアによって送風された空気が殺菌灯からの紫外線によって活性化された光触媒フィルタの中を通過するように構成されている。そして、光触媒フィルタを通過する際に光触媒に捕捉された空気中の臭気ガス、殺菌等の汚染物質が分解されて脱臭、殺菌が行なわれて浄化空気が導出されるようになされている。
【０００４】
【特許文献１】特開平１−１３９１３９号公報（第４頁左欄第９行乃至第２５行、第１図）
【考案の開示】
【考案が解決しようとする課題】
【０００５】
　前記特許文献１に示されるような光触媒を利用した脱臭装置にあっては、前記したように効果的に室内の空気を浄化し、脱臭することができる。
　従来、このような脱臭装置は、単に脱臭機能を有する箱体として室内に載置され、使用されていた。しかしながら、この脱臭装置を室内に載置するには、スペースを確保する必要があり、また、機械的な外観により室内のインテリアとして不調和な場合があった。
【０００６】
　本考案は、前記したような事情の下になされたものであり、インテリア性を有すると共に、光触媒を利用して効果的に空気の脱臭を行なうことのできる脱臭装置を提供することを目的とする。
【課題を解決するための手段】
【０００７】
　上記課題を解決するために、本考案にかかる脱臭装置は、空気汚染物質を浄化し、脱臭した空気を導出する脱臭装置であって、壁掛け手段を有するケーシングと、前記ケーシング内に設けられ、取り入れた空気を光触媒により浄化して導出する脱臭手段と、前記ケーシングの前面に形成されたディスプレイ手段とを備え、前記ケーシングが前記壁掛け手段により壁に掛けられた状態で、前記脱臭手段が空気脱臭を行なうことに特徴を有する。
　このように、前記ディスプレイ手段が設けられることにより、ケーシングがインテリア性を有し、しかも、壁掛け手段によってケーシングを壁に掛けることができるので、床上に設置スペースを確保する必要がなく、室内のスペースを有効利用しつつ、脱臭を行なうことができる。
【０００８】
　また、前記ケーシングには、空気導入口と空気導出口とが形成され、前記脱臭手段は、前記空気導入口から空気を取り入れると共に浄化した空気を前記空気導出口から導出する空気導入出手段と、光を照射する放電ランプと、前記放電ランプの光が照射される略平面状に形成された光触媒フィルタとを備え、前記光触媒フィルタが、前記ケーシングの奥行き方向に対して傾斜した状態で前記ケーシング内に設置されることが望ましい。
　このように前記脱臭手段を構成することにより、前記ケーシングに光触媒を利用した脱臭機能を持たせることができる。
　また、前記ケーシング内の奥行き方向に対して、前記光触媒フィルタを傾斜した状態で設置することで、広面積のフィルタで光触媒による脱臭処理を行なうことができる。また、脱臭装置を薄型に形成することができる。
【０００９】
　また、前記ディスプレイ手段は、前記放電ランプから照射される光を透過する透光性板を備え、前記透光性板上に所定のシート状装飾体が着脱自在に設置されることが望ましい。
　このように構成すれば、前記シート状装飾体として、所望の写真や絵画等を用いることができる。また、前記透光性板がバックライトとして機能するため、前記シート状装飾体として、例えばステンドグラスのような透光性表示体を用いれば、よりディスプレイ面にインテリア性を持たせることができる。
【考案の効果】
【００１０】
　本考案によれば、インテリア性を有すると共に、光触媒を利用して効果的に空気の脱臭を行なうことのできる脱臭装置を提供することができる。
【考案を実施するための最良の形態】
【００１１】
　以下、この考案に係る脱臭装置について、図に示す実施形態に基づいて説明する。
　先ず、図１乃至図５に本考案の一実施形態を示す。図１は、本考案に係る脱臭装置の前面図である。図２は、図１の脱臭装置の底面図である。図３は、図１の脱臭装置の側面図である。図４は、図１の脱臭装置から額縁型蓋体を取り外した状態の正面図である。図５は、図４の側断面図である。
【００１２】
　図１乃至図３に示すように、脱臭装置１００は、額縁型蓋体１と、この額縁型蓋体１により前面が塞がれるケース本体２とを備える。なお、前記額縁型蓋体１と前記ケース本体２により、脱臭装置１００のケーシングが構成される。
　前記額縁型蓋体１の底面には、ケース本体２の底部に形成された空気導入口２ａの形状に合わせた切り欠き１ａが形成されている。また、この額縁型蓋体１の前面かつ上方には、空気導出口１ｂが形成されている。
【００１３】
　さらに、額縁型蓋体１の前面には、ディスプレイ手段として、矩形状のディスプレイ窓１ｃが形成されると共にディスプレイ面Ｄが設けられている。このディスプレイ面Ｄは、図２、図３に示すように、ガラスまたはアクリル等の透明板からなるダストカバー３と、ベニヤ板または紙パルプ集成材等からなるバックボード４とにより構成される。
【００１４】
　そして、前記バックボード４は、少なくとも留め具（図示せず）等により着脱自在に構成されている。これにより、ダストカバー３とバックボード４との間に、シート状装飾体Ｐを挿入した状態で、前記バックボード４を額縁型蓋体１に固定できるようになされている。
　このように構成することで、前記シート状装飾体Ｐとして、所望の写真や絵画等を収容することができる。
【００１５】
　また、前記バックボード４は、適度な光量を透過する透光性板とするのが好ましい。このバックボード４の厚さ寸法を調整することにより、後述の放電ランプ６ａ、６ｂからの光を適量透過するように形成することができる。
　これにより、例えば前記シート状装飾体Ｐとして、例えばステンドグラスのような透光性表示体を用いれば、ディスプレイ面Ｄにより、インテリア性をより持たせることができる。
　なお、前記シート状装飾体Ｐに、前記放電ランプ６ａ、６ｂからの光（バックライト）を与えたくない場合には、前記バックボード４の厚さ寸法を厚く調整することにより、光を遮断するようにしてもよい。または、バックボード４を遮光性の材質により形成し、前記放電ランプ６ａ、６ｂからの光を遮断してもよい。
【００１６】
　続いて、図４および図５に基づき、前記ケース本体に収容された脱臭手段について説明する。
　図４に示すように、ケース本体２には、脱臭手段として、前記空気導入口２ａから空気を取り入れると共に浄化した空気を前記空気導出口１ｂから導出する空気ファン５（空気導入出手段）と、光を照射する放電ランプ６ａ、６ｂと、前記放電ランプ６ａ、６ｂの光が照射される略平面状の光触媒フィルタ７ａ、７ｂとが設置されている。さらに、光触媒による空気浄化を行なう前に、空気中の埃等を予め取り除く空気フィルタ８が設けられている。
　また電源装置９が設けられ、前記空気ファン５および放電ランプ６ａ、６ｂに電源供給するように構成されている。この電源装置９は、バッテリであってもよく、または、ＡＣ電源により電源供給するタイプであってもよい。
　なお、光触媒を構成する物質としては、有機化合物の分解による消臭作用に優れたものが好ましく、例えばＴｉＯ2（二酸化チタン）、Ｆｅ2Ｏ3（三酸化鉄）、ＺｎＯ（酸化亜鉛）等が用いられる。中でも、可視光応答型の二酸化チタン等を光触媒として用いることによって、前記放電ランプ６ａ、６ｂは紫外線を多く照射するものに限定されず、より汎用的な可視光ランプを用いることができる。
【００１７】
　また、効率よく空気汚染物質を浄化するために、放電ランプ６および光触媒フィルタ７は２段構成とされ、さらに広面積の光触媒フィルタ７ａ、７ｂおよび空気フィルタ８が用いられる。
　すなわち、図５に示すように、前記光触媒フィルタ７ａ、７ｂおよび空気フィルタ８の平面側における高さ寸法ｈ（及び幅寸法）は、少なくともケース本体２の内寸奥行きｄよりも夫々長く形成されている。言い換えれば、これら各フィルタは、図５に示すように前記ケース本体２の奥行き方向に対して夫々傾斜を有する状態で設置され、これにより各フィルタ７ａ、７ｂ、８の面積を大きくすることができると共に、脱臭装置１００全体の薄型化が実現される。
　なお、前記したように光触媒フィルタ７ａ、７ｂの面積を大きくすることができるため、多くの光触媒を励起させることができる。そして、空気導入口２ａから導入された空気が光触媒に接触する面積が大きくなるため、効率的に空気の脱臭を行なうことができる。
　また、このケース本体２の背面には、脱臭装置１００を壁に掛けることができるように、吊かん等の壁掛け手段（図示せず）が設けられている。
【００１８】
　続いて、前記したように構成された脱臭装置１００の動作について、説明する。
　例えば、前記脱臭装置１００は、薄型に形成されているため、室内において前記壁掛け手段により壁面上に掛けられ、使用される。
　先ず、前記電源装置９からの電源供給により、前記空気ファン５が作動し、ケース本体２内においては、前記空気導入口２ａから前記空気導出口１ｂに向けて空気の流れが形成される。
　そして、室内の空気はケース本体２内に取り入れられた後、前記空気フィルタ８によって、埃等が取り除かれる。
　前記空気フィルタ８を通過した空気は、放電ランプ６ａ、６ｂから照射される光によって活性化した光触媒フィルタ７ａ、７ｂに接触することにより、空気中の臭気物質である有機化合物等が効率的に分解される。
　こうして、浄化、脱臭された空気は、空気導出口１ｂから室内に、順次供給される。
【００１９】
　また、脱臭装置１００の額縁型蓋体１に形成されたディスプレイ面Ｄには、前記シート状装飾体Ｐとして、室内のインテリアとして調和するように、例えばステンドグラスのように光が透過することにより、明るく明瞭に表示される透光性表示体の絵画等が用いられる。
　すなわち、前記シート状装飾体Ｐは、前記放電ランプ６ａ、６ｂからの光によるバックライト効果により、明るく明瞭に表示される。
【００２０】
　以上説明した一実施形態によれば、脱臭装置１００は、光触媒を利用した脱臭手段により、効果的に室内等の空気の浄化、脱臭を行なうことができる。さらに、ケーシングが薄型であるため、壁掛けが可能であり、床上における設置場所を選ばなくてよい。加えて、額縁型蓋体１に所望のシート状装飾体Ｐを設置して表示することができ、脱臭手段に用いる放電ランプの光を、前記シート状装飾体Ｐのバックライトとしても利用することができる。
　また、前記したように、壁面上に設置された脱臭装置１００は、額縁型蓋体１により、見かけ上は額縁であり、インテリア性を有するため、利用者に脱臭装置を意識させることなく室内の空気の浄化、脱臭を行なうことができる。
【産業上の利用可能性】
【００２１】
　以上の説明で明らかなとおり、本考案によれば、インテリア性を有すると共に、光触媒を利用して効果的に空気の脱臭を行なうことのできる脱臭装置を提供することができる。
【図面の簡単な説明】
【００２２】
【図１】図１は、本考案に係る脱臭装置の前面図である。
【図２】図２は、図１の脱臭装置の底面図である。
【図３】図３は、図１の脱臭装置の側面図である。
【図４】図４は、図１の脱臭装置から額縁型蓋体を取り外した状態の正面図である。
【図５】図５は、図４の側断面図である。
【符号の説明】
【００２３】
　１　　　　額縁型蓋体
　１ｂ　　　空気導出口
　２　　　　ケース本体
　２ａ　　　空気導出口
　３　　　　ダストカバー
　４　　　　バックボード
　５　　　　空気ファン
　６ａ　　　放電ランプ
　６ｂ　　　放電ランプ
　７ａ　　　光触媒フィルタ
　７ｂ　　　光触媒フィルタ
　８　　　　空気フィルタ
　Ｄ　　　　ディスプレイ面
　Ｐ　　　　シート状装飾体
【図１】
0003100297.tif 000003
【図２】
0003100297.tif 000004
【図３】
0003100297.tif 000005
【図４】
0003100297.tif 000006
【図５】
0003100297.tif 000007